(57)【要約】【課題】  展示する帽子の種類に応じてスタンドの形状を変更することにより、丸みを帯びた形状の帽子と、平らな形状を有する帽子とを見栄えよく且つ型崩れしないようディスプレイすること。【解決手段】  半円形状の球面部１１ａ／該球面部１１ａの側面に配置された四半円形状の一対の球面部１１ｂ／これら球面部１１ａ及び球面部１１ｂの底面中央部から下方に向かって垂直に突設された円柱形状の突設部１２とよりなる上部スタンド１０と、中央部に前記上部スタンド１０の突設部１２を嵌入させるために開口された穴部２２をもつ円環状の本体部２１／この本体部２１の底面全体を覆う底蓋部２３／この底蓋部２３の底面部中央に設けられた固定部２４とより成る下部スタンド２０とにより帽子スタンドを構成し、頂部が丸い形状の帽子を前記上部スタンド１０と下部スタンド２０とを嵌合した状態で展示し、保形性の良い帽子を下部スタンド２０のみを用いて展示することができる帽子スタンド。【選択図】  図１
0003107647.tif 000002
【実用新案登録請求の範囲】
【請求項１】
帽子をディスプレイするための帽子スタンドであって、
上面の外形が半球面形状を有する半球構造体と、該半球構造体の底面部から突設した突設部とを有する上部スタンドと、
該突設部と嵌合する穴部を有し、該半球構造体の底面部と同一大きさの上面を有する下部スタンドとから成り、
前記上部スタンドの突設部と下部スタンドの穴部とを嵌合又は分離自在に構成したことを特徴とする帽子スタンド。
【請求項２】
前記半球構造体が、半円形状の２部材の円弧部を交差した構造であることを特徴とする請求項１に記載の帽子スタンド。
【請求項３】
前記上部スタンドの突設部が柱状であり、下部スタンドの穴部が前記突設部の柱状
外径と内径が略一致することを特徴とする請求項１又は２記載の帽子スタンド。
【請求項４】
前記上部スタンド及び下部スタンドの材質を発泡ポリウレタンとしたことを特徴とする請求項１又は２又は３記載の帽子スタンド。
【考案の詳細な説明】
【技術分野】
【０００１】
本考案は、野球帽などのキャップやハンテングなど様々な帽子を型崩れなく展示するための帽子スタンドに関するものである。
【背景技術】
【０００２】
従来、帽子をディスプレイする方法としては、帽子を使用状態に近い形にみせるため、例えばリング状又はスパイラル状の線材を頭部の形状に合わせて形成し、その線材に帽子を被せる方法が採られていた。
【０００３】
ここで、帽子には頭部にぴったりと納まる野球帽や全体的に柔らかいベレー帽、ハンテング帽など様々な形状があり、また型が決まっているシルクハットやカーボーイハットなど様々な固さのものがあり、これらの帽子を見栄えよく且つ型崩れしないようにディスプレイする必要がある。
【考案の開示】
【考案が解決しようとする課題】
【０００４】
しかし、上述の従来のような線材を用いたスタンドでディスプレイを行った場合、柔らかい素材を使用しているベレー帽や野球帽などのように丸みを帯びた形状のものは帽子の型が崩れたり、帽子のシルエットがきれいに出ないという不都合が生じていた。
【０００５】
また、従来の帽子スタンドは、形状を変形することができず、カーボーイハットやシルクハット等はリング状のスタンドが好ましく、シャポーやウォッチキャップなどはスパイラル状のスタンドが好ましい等、帽子の形状等によってスタンドを選別しなければならないという不都合が生じていた。
【０００６】
本考案の目的は、ディスプレイをする帽子の種類に応じてスタンドの形状を変更することにより、野球帽などの丸みを帯びた形状の帽子と、シルクハットやテンガロンハットのような保形性を有する帽子を見栄えよく且つ型崩れしないようディスプレイすることができる帽子スタンドを提供することにある。
【課題を解決するための手段】
【０００７】
前記目的を達成する為に本考案は、上面の外形が半球面形状を有する半球構造体と、該半球構造体の底面部から突設した突設部とを有する上部スタンドと、該突設部と嵌合する穴部を有し、該半球構造体の底面部と同一大きさの上面を有する下部スタンドとから成り、前記上部スタンドの突設部と下部スタンドの穴部とを嵌合又は分離自在に構成したことを第１の特徴とし、前記半球構造体が、半円形状の２部材の円弧部を交差した構造とすることを第２の特徴とし、前記上部スタンドの突設部が柱状であり、下部スタンドの穴部が前記突設部の柱状外径と内径が略一致することを第３の特徴とし、前記上部スタンド及び下部スタンドの材質を発泡ポリウレタンとしたことを第４の特徴とする。
【考案の効果】
【０００８】
本考案の帽子スタンドは、上述の構成を有することにより、野球帽などのキャップやシャポーなどの丸みを帯びた形状を有する帽子や、シルクハット及びテンガロンハットなどの保形性を有する帽子といった形状の異なる帽子を見栄えよくディスプレイすることができる。
【０００９】
また前記半球構造体を半円形状の２部材の円弧部を交差した構造とすることにより、材料加工を容易にし且つ製造コストを安く抑えることができる。
【００１０】
上部スタンドの突設部が柱状であり、下部スタンドの穴部が前記突設部の柱状外径と内径が略一致することにより、ディスプレイ時に帽子にしわがよることなく見栄えの良いディスプレイを行うことができる。
【００１１】
材質に発泡ポリエチレンを使用することにより、帽子スタンドの軽量化を図ることができ、また安価で耐久性のある帽子スタンドを提供することができる。
【００１２】
また上部スタンドと下部スタンドを着脱自在とすることにより、ディスプレイの変更にも迅速に対応することができる。
【００１３】
下部スタンドの穴部を円形形状に設けることにより、帽子の頂部が窪んだ形状を有する帽子を見栄え良くディスプレイすることができる。
【考案を実施するための最良の形態】
【００１４】
以下、各図面に示す本考案の一実施形態を以下に説明する。図１は、本考案の帽子スタンドの一実施形態を示す構成図であり、図２は、本考案の帽子スタンドの断面形状を示す断面図である。
【００１５】
本実施形態における帽子スタンドは、図１及び図２に示す如く、大別して、上面に外形状が半球構造を形成する上部スタンド１０と、中央部に穴部２２が開口された円環状の下部スタンド２０の２つの部材より構成される。
【００１６】
前記上部スタンド１０は、半円形状の球面部１１ａと、該球面部１１ａの側面に配置された四半円形状の一対の球面部１１ｂと、前記球面部１１ａ及び球面部１１ｂの底面中央部から下方に向かって垂直に突設された円柱形状の突設部１２より構成されている。即ち本実施形態による上部スタンド１０は、半円形状の球面部１１ａの側面に一対の四半円形状の球面部１１ｂを配すると共に、前記球面部１１ａ及び球面部１１ｂの下面に突設部１２を配し、これらを接着することにより構成され、前記球面部１１ａ及び球面部１１ｂにより外形が略半球の半球構造体１１を形成する。
【００１７】
また下部スタンド２０は、中央部に前記上部スタンド１０の突設部１２を嵌入させるために開口された穴部２２をもつ円環状の本体部２１と、該本体部２１の底面全体を覆う底蓋部２３と、該底蓋部２３の底面部中央に設けられた固定部２４（図２）より構成されている。
【００１８】
前記球面部１１ａ及び１１ｂが形成する半球構造体１１は、野球帽等のキャップやシャポータイプの帽子など、丸みを帯びた形状を有する帽子を実際にディスプレイしたときの見栄えを考慮して帽子にしわやよれが生じないような三次元の立体的な半球体を形成する。この半球体は、半径６６ｍｍの真球体の中心より約１５ｍｍの上部を切り取った変形半円球形状が望ましい。また、本実施形態では半球構造体１１が２種類の部材より構成されているが、これによらず、半球形状の一体的な構造を有するものであっても良い。
【００１９】
また下部スタンド２０の穴部２２は、円柱形状の突設部１２とぴったり嵌合できるように筒状に開口されていると共に、この穴部２２の開口部には下部スタンド２０単独で中折れ帽やテンガロンハットなどの帽子の頂部が内側に窪んだ形状を有する帽子をディスプレイする際、その帽子の窪み部分のシルエットをきれいに出すために開口されている。
【００２０】
なお、本実施形態における帽子スタンドの材質は、弾性力及び形状記憶性を有し、安価で軽く又帽子のディスプレイを行った場合に型崩れしない程度の硬さを有する材質であることが望ましく、例えば発泡ポリエチレンを用いることが望ましい。
【００２１】
図３は、上部スタンド１０と下部スタンド２０が嵌合された状態を示す外観である。この下部スタンド２０と上部スタンド１０は同一の外周形状を有し、また上部スタンドの半球構造体１１の底面と下部スタンドの上面が密着するように、上部スタンド１０の突設部１２の凸部分と下部スタンド２０の穴部２２の凹部分が隙間なく嵌合される。
【００２２】
これにより上部スタンド１０と下部スタンド２０は、両スタンドの間に段差や隙間が生じることなく嵌合される。また、丸みを帯び、しかも変形し易い柔らかい材質の帽子をしわがよらないよう見栄えよくディスプレイするため、より半球に近い形状が形成される。
【００２３】
次に使用態様について説明する。本実施形態における帽子スタンドは、ディスプレイを行う帽子により上部スタンド１０と下部スタンド２０とが脱着可能な状態で単独又は組み合わせて使用される。
【００２４】
先ず、特に野球帽やウォッチキャップ，シャポータイプなどの形状が丸みを帯び、しかも変形し易い柔らかい材質の帽子をディスプレイするときには、上部スタンド１０と下部スタンド２０とを嵌合し、前記上部スタンド１０の上から帽子を被せるようにして使用される。
【００２５】
この上部スタンド１０により帽子の形状が保たれ、丸みを帯びた帽子を見栄え良くディスプレイすることができる。
【００２６】
また、中折れ帽やカウボーイハット、シルクハットなどの保形性の良いタイプの帽子をディスプレイするときは、上部スタンド１０が外され、下部スタンド２０のみが選択され、この下部スタンド２０の上に帽子を被せるようにして使用される。即ち本実施形態による帽子スタンドは、保形性が良いタイプの帽子を展示する際には下部スタンド２０のみを用いてディスプレイすることができる。更に、この場合の帽子スタンドは、下部スタンド２０の中央部が凹形状であるため、例えば帽子の頂部が窪んだ形状であっても、その形状を損なうことなくディスプレイすることができる。
【００２７】
また、本実施形態における帽子スタンドを壁面や棚などに固定する場合は、固定部２４に強力な両面テープ等を貼付することにより壁面等に固定することができる。また材質として軽量の発泡ポリエチレンを使用しているため、固定部２４にフックを取り付けることにより、スタンドに引っ掛けたり、紐で吊るしたりすることもできるため、多様なディスプレイが可能となる。
【図面の簡単な説明】
【００２８】
【図１】本考案の帽子スタンドの一実施形態を示す構成図である。
【図２】本考案の帽子スタンドの断面形状を示す断面図である。
【図３】上部スタンド１０と下部スタンド２０が嵌合された状態を示す外観図である。
【符号の説明】
【００２９】
１０…上部スタンド，１１…球面部，１１ａ…球面部Ａ，１１ｂ…球面部Ｂ，１２…突設部，２０…下部スタンド，２１…本体部，２２…穴部，２３…底蓋部，２４…固定部。
【図１】
0003107647.tif 000003
【図２】
0003107647.tif 000004
【図３】
0003107647.tif 000005
【手続補正書】
【提出日】平成16年8月26日(2004.8.26)
【手続補正１】
【補正対象書類名】図面
【補正対象項目名】全図
【補正方法】変更
【補正の内容】
【図１】
0003107647.tif 000006
【図２】
0003107647.tif 000007
【図３】
0003107647.tif 000008